(57)【特許請求の範囲】
【請求項１】
バインダーで中吊りされる表裏一対の広告紙を、予め綴結冶具によって綴結する中吊り広告紙の綴結装置であって、
複数の広告紙を上下に載置保持する上下二段の棚板を有する載置棚と、該載置棚の前端側に設けられて、前記各棚板から順次落とし込まれた各広告紙を下方へスライド移動させる傾斜状のスライド板と、該スライド板のほぼ最下端位置に並設された複数の電動綴結冶具と、該電動綴結冶具を電気的に作動制御する制御手段とを備えたことを特徴とする中吊り広告紙の綴結装置。
【請求項２】
前記載置棚の後端側に、電動綴結冶具によって重合綴結された表裏一対の広告紙体を、スライド板上から載置棚の内部を介して反対側に取り出す取出口を設けたことを特徴とする請求項１に記載の中吊り広告紙の綴結装置。
【請求項３】
前記載置棚の内部下端部に、前記スライド板から取り出された広告紙体を前記取出口方向に案内する傾斜状のガイド板を設けたことを特徴とする請求項２に記載の中吊り広告紙の綴結装置。
【請求項４】
前記制御手段は、電動綴結冶具を作動させる作動スイッチと、該作動スイッチをオンさせた後に所定時間の間、作動スイッチを非作動にするタイマー機構とを備えたことを特徴とする請求項１〜３のいずれかに記載の中吊り広告紙の綴結装置。
【発明の詳細な説明】
【０００１】
【産業上の利用分野】
本発明は、表裏一対の中吊り広告紙を予め自動的に綴結する綴結装置に関する。
【０００２】
【従来の技術】
【０００３】
図７に示すように従来から電車などの車内に天井から左右２つのバインダー１によって吊り下げられている中吊り広告紙体２は、車内の前後方向から視認できるように重合された表裏一対の比較的厚手の広告紙３，４になっており、この表裏の広告紙３，４は、その大きさが一般に横長のＢ３サイズと、このＢ３サイズを横方向に連結した大きさのワイドサイズがあり、使用に際しては、広告内容に応じて同一サイズあるいはサイズの異なるものを混合して使用し、混合使用の場合は、一枚のワイドサイズのものに対しては２枚のＢ３のサイズのものを合わせて使用する。
【０００４】
そして、これらを各バインダー１に吊り下げる際には、図８に示すように、予め表裏の広告紙３，４の上端部３ａ，４ａを横一列に綴結冶具によって綴結し、これによって、バインダー１への取り付け時における各広告紙３，４が互いに上下にずれたり、はずれて落下するのを防止することが可能になり、作業者によるバインダー１への取り付け作業の容易性を確保している。
【０００５】
特にサイズの異なる広告紙３，４を混合して使用する場合には、両者を予め綴結しておかないと、作業者は必ずサイズの小さいＢ３側の２枚をそれぞれ持ち替えて作業しなければならないため、必ず予め両者を綴結冶具で綴結しておく必要がある。
【０００６】
【発明が解決しようとする課題】
しかしながら、前記中吊り広告紙３，４を予め綴結冶具によって締結するには、作業者がまず、表裏の両者３，４を重ね合わせながら互いの外側の角合わせにより位置決めを行い、次に重ね合わせた両方の広告紙３，４を持ちながら綴結冶具で各上端部３ａ，４ａを横一列に１つづつ綴結するようになっている。このように、全て手作業によって行うため、かかる一連の綴結作業がきわめて煩雑になり、該作業能率の低下とコストの高騰を招いている。
【０００７】
本発明は、前記従来の綴結作業の技術的課題に鑑みて案出したもので、綴結作業の一部を完全に自動化することよって作業の煩雑化を抑制すると共に、コストの低廉化を図り得る綴結装置を提供することを目的としている。
【０００８】
【課題を解決するための手段】
請求項１に記載の発明は、バインダーで中吊りされる表裏一対の広告紙を、予め綴結冶具によって綴結する中吊り広告紙の綴結装置であって、複数の広告紙を上下に載置保持する上下二段の棚板を有する載置棚と、該載置棚の前端側に設けられて、前記各棚板から順次落とし込まれた各広告紙を下方へスライド移動させる傾斜状のスライド板と、該スライド板のほぼ最下端位置に並設された複数の電動綴結冶具と、該電動綴結冶具を電気的に作動制御する制御手段とを備えたことを特徴としている。
【０００９】
請求項２に記載の発明は、前記載置棚の後端側に、電動綴結冶具によって重合綴結された表裏一対の広告紙体を前記スライド板上から載置棚の内部を介して反対側に取り出す取出口を設けたことを特徴としている。
【００１０】
請求項３に記載の発明は、前記載置棚の内部下端部に、前記スライド板から取り出された広告紙体を前記取出口方向に案内する傾斜状のガイド板を設けたことを特徴としている。
【００１１】
請求項４に記載の発明にあっては、前記制御手段は、電動綴結冶具を作動させる作動スイッチと、該作動スイッチをオンさせた後に所定時間の間、作動スイッチを非作動にするタイマー機構とを備えたことを特徴としている。
【００１２】
【発明の実施の形態】
以下、本発明に係る中吊り広告紙の綴結装置の実施形態を図面に基づいて説明する。
【００１３】
すなわち、この綴結装置は、図１〜図６に示すように、サイズの異なるＢ３、ワイド広告紙３，４，４を上下二段に載置保持したボックス状の載置棚１１と、一端部１２aが載置棚１１の前端開口１１aに支持されたスライド板１２と、該スライド板１２の他端部１２ｂ側に並設された６つの電動綴結冶具１３と、載置棚１１の後端下部に形成された取出口１４と、載置棚１１の内部下側に設けられて、綴結された広告紙体２を取出口１４方向へ案内するガイド板１５と、前記各綴結冶具１３の作動を電気的に制御する制御手段である電気回路１６とから構成されている。
【００１４】
前記載置棚１１は、前方に延出した長方形状の底壁板１７の両側に上方に延びた側壁１８，１８を有すると共に、中央から上方位置に下段の棚板１９と上段の棚板２０とを備えている。下段棚板１９及び上段棚板２０は共に、ワイドサイズの広告紙３とＢ３サイズの広告紙４，４のいずれも収納可能であるが、本例においては、下段棚板１９に、ワイドサイズの複数の広告紙３が積み重ねられて保持され、上段棚板２０に、左右それぞれＢ３サイズの広告紙４，４が積み重ねられて保持されている。また、両側壁１８，１８は、その幅がワイドサイズの広告紙３の幅長さよりも若干大きく設定されていると共に、下段棚板１９下方の前端開口１１ａ側には、前記スライド板１２の一端部１２ａを支持する支持ピン２１が介装されている。また、上段棚板２０の上面後端部には、広告紙４，４の位置決め用の保持枠２２が立設されている。また、下段棚板１９の後部両側には、それぞれ両側壁１８，１８に固定された位置決め用板２３，２３が設けられている。
【００１５】
前記スライド板１２は、図１にも示すように、支持ピン２１に支持された一端部１２ａ、つまり載置棚１１の前端開口１１ａから前方に所定角度で下り傾斜状に配置され、他端部１２ｂが底壁板１７の先端部上面に固定されていると共に、両側縁に各広告紙３，４の側縁をガイドするガイド枠２４，２４が、片方は固定し、もう片方は広告紙の多少のサイズ差に合わせ、移動を可能にしている。また、他端部１２ａの上面両側には、前記各広告紙３，４の最大スライド移動を規制するほぼＬ字形状に折曲された規制部材２５，２５が設けられている。
【００１６】
前記各電動綴結冶具１３は、市販の電動ホッチキスであって、図１に示すようにスライド板１２の他端部１２ｂの上面に固定され、各先端部１３ａが前記規制部材２５，２５の前面よりも僅かに突出配置されて、スライド板１２上面をスライドした各広告紙３，４の上端部３ａ，４ａが電動綴結冶具１３の綴結口１３ｂに入るようになっている。
【００１７】
前記ガイド板１５は、図１、図３に示すように、前端開口１１ａ側から取出口１４側にかけて下り傾斜状に配設され、一端部１５ａが前記前端開口１１ａの下端部に立設された支持板２６の上端に固定されていると共に、他端部１５ｂが取出口１４の下部から僅かに飛び出している。また、この他端部１５ｂの先端部両側には、該先端部から垂直に立ち上がった止め部材２７，２７が設けられており、この各止め部材２７，２７は、スライド板１２側から送られてきて積み重ねられた各広告紙体２の上端部２ａを傾斜状に保持して、取出口１４から各広告紙体２の各部を取り易くするようになっている。なお、各止め部材２７，２７の各外側部には、ほぼ三角形状の枠部２７ａ，２７ａが設けられている。
【００１８】
また、前記取出口１４は、ガイド板１５の先端部上に横方向に長く設定されている。
【００１９】
前記電気回路１６は、図５、図６に示すように電源２８と、各電動綴結冶具１３に電流を適宜供給するリレー回路２９と、足の踏み込みによってリレー回路２９を介して各電動綴結冶具１３を作動させるフットスイッチ３０と、このフットスイッチ３０を踏み込んだ後に、例えば５秒の間（任意の時間を設定可能）にこのフットスイッチ３０を非作動状態にするタイマー回路３１と、スライド板１２に設けられて、前記広告紙体２の枚数をカウントするカウンター３２と、このカウンター３２をゼロに復帰させる復帰ボタン３３とから構成されている。前記各電動綴結冶具１３は、一般的なもので、スライド板１２上に横方向へ配置され、フットスイッチ３０の作動によって自動的に綴結針によって各広告紙３，４，４を綴結するものである。
【００２０】
したがって、この実施形態によれば、各棚板１９，２０上に予めそれぞれ同一サイズの複数の広告紙３，４を積み重ねておく。この実施形態の場合は、下段棚板１９には、ワイドサイズの広告紙３を積み重ね、上段棚板２０にはＢ３の広告紙４，４を並べて積み重ねられている。
【００２１】
そして、まず、下段棚板１９からワイドサイズの大広告紙３をスライド板１２上に落としこむと、この大広告紙３は上端部２ａが前記規制部材２５，２５に規制されるまでスライド板１２上をスライドして各電動綴結冶具１３の綴結口１３ｂに係入する。その後、上段棚板２０から左右２枚のＢ３サイズの小広告紙４，４を大広告紙３上に落としこみ、この上をスライド移動させ規制部材２５，２５で規制されるまで下方へ移動させ、大広告紙３の上面に積み重ねる。このとき、上側の各広告紙４，４はスライド板１２両側のガイド板２４，２４によって案内されて大広告紙３上に自動的かつ正確に位置決めされる。
【００２２】
次に、フットスイッチ３０を踏み込むと、６つの電動綴結冶具１３が同時に作動して上下の両広告紙３，４，４の上端部３ａ，４ａ，４ａを６本の綴結針によって強固に綴り合わせる。
【００２３】
その後、この綴り合わされた広告紙体２を持ってガイド板１５の方へ送り込むと、このガイド板１５の傾斜角度に沿って取出口１４の方向へスライド移動し、止め部材２７，２７に突き当たって移動が規制される。
【００２４】
そして、前述のように各電動綴結冶具１３により連続的に綴結された広告紙体２をガイド板１５側へ順次送り込み、該ガイド板１５上に広告紙体２がある程度積み重ねられた時点で、取出口１４から広告紙体２を束にしながら取り出せば、一連の綴結作業が完了する。
【００２５】
このように、各広告紙３，４，４の綴結作業を、従来のように作業員が全て手作業によって行うのではなく、自動的に行うようにしたため、かかる綴結作業能率の大幅な向上が図れると共に、コストの低廉化が図れる。
【００２６】
また、各広告紙３，４，４の位置決めをガイド枠２４、２４や規制部材２５，２５などによって行うため、各広告紙３，４の送り作業や綴結作業を安定かつ確実に行うことができ、精度の高い綴結が得られる。
【００２７】
また、広告紙体２を載置棚１１の後端側の取出口１４から取り出すようにしたため、スペース効率を向上させることができ、装置全体のコンパクト化が図れる。
【００２８】
さらに、取出口１４では、順次積み重ねられた各広告紙体２の上端部２ａが、止め部材２７，２７によって傾斜状に配置されるため、該広告紙体２の取出し作業も良好になる。
【００２９】
また、ガイド板１５によって各広告紙体２の前記取出口１４方向への案内が良好になり、スムーズな取出し作業が可能になる。
【００３０】
さらに、タイマー回路３１によってフットスイッチ３０の誤作動の発生が防止され、安全性が向上する。
【００３１】
この発明は、前記各実施形態の構成に限定されるものではなく、例えば各広告紙３，４の各棚板１９，２０からスライド板１２上への落としこみをローラなどによって自動的に行うことも可能である。また、前記実施形態では、サイズの異なる広告紙３，４について説明したが、ワイドサイズのもの同士であってもよい。
【００３２】
【発明の効果】
以上の説明で明らかなように、請求項１に記載の発明によれば、各広告紙の綴結作業を、従来のように作業員が全て手作業によって行うのではなく、自動的に行うことができるため、かかる綴結作業能率の大幅な向上が図れると共に、コストの低廉化が図れる。
【００３３】
請求項２に記載の発明によれば、広告紙体を載置棚の後端側の取出口から取り出すようにしたため、スペース効率が向上して装置全体のコンパクト化が図れる。
【００３４】
請求項３に記載の発明によれば、ガイド板によって各広告紙体の前記取出口への案内が良好になり、スムーズな取出し作業が可能になる。
【００３５】
請求項４に記載の発明によれば、タイマー機構によって作動スイッチの誤作動の発生が防止され、安全性が向上する。
【図面の簡単な説明】
【図１】本発明に係る綴結装置の実施形態を示す側面図。
【図２】同装置に供される載置棚の正面図。
【図３】同載置棚の背面図。
【図４】同装置を模式図的に示した斜視図。
【図５】同装置に供される電気回路を示すブロック図。
【図６】同電気回路の要部構成図。
【図７】各広告紙がバインダーに取りつけられた状態を示す正面図。
【図８】各広告紙が綴結された状態を示す正面図。
【符号の説明】
１…バインダー
２…広告紙体
３…ワイドサイズ（Ｂ３×２）の広告紙
４…Ｂ３サイズの広告紙
１１…載置棚
１１ａ…前端開口
１２…スライド板
１２ａ，１２ｂ…両端部
１３…電動綴結冶具
１４…取出口
１５…ガイド板
１６…電気回路
１９…下段棚板
２０…上段棚板
２４…ガイド枠
【図１】
0004602533.tif 000002
【図２】
0004602533.tif 000003
【図３】
0004602533.tif 000004
【図４】
0004602533.tif 000005
【図５】
0004602533.tif 000006
【図６】
0004602533.tif 000007
【図７】
0004602533.tif 000008
【図８】
0004602533.tif 000009